(57)【要約】【課題】取り付け取り外しが容易で雨水が頂幕に溜まらないような防水具である。【解決手段】防水カバー２０Ａと、防水カバーに取り付けられる保持体２０Ｂとで防水具２０を構成する。防水カバー（シート）はキャリア１０の外形に合うように加工されると共に、頂幕２２と垂幕２４とで構成され、垂幕２４は使用上を考慮して垂幕片２４Ａ〜２４Ｄとして構成する。防水カバーをキャリアに取り付けたとき、頂幕はキャリアの平面と同じ形状に構成され、垂幕片はキャリアの外側の一部を覆うように、キャリアの頂部から垂れ下がるため、雨水から積載貨物を保護できる。防水カバーに取り付けられる保持体は、湾曲した板バネ製であるため、保持体を防水カバーに装着した状態では、頂幕が上方に突出するため降り注いだ雨は頂幕にとどまることなく、地面に雨滴となって落下する。防水具を取り外すときでも頂幕に溜まった雨水がキャリア内の貨物に浸入したりしない。【選択図】        図１
2005082207.tif 000002
【特許請求の範囲】
【請求項１】
少なくとも荷物運搬用キャリアの上面に装着できる大きさの頂幕と当該頂幕の内側に設けられた取り付け部とを有する防水カバーと、
上記取り付け部に対して取り付け固定される保持体とで構成され、
当該保持体は、湾曲形状をなす梯子体として構成され、
上記保持体を上記取り付け部に取り付け固定した状態では、上記取り付け部上の上記頂幕が上方に突出するようにした
ことを特徴とする防水具。
【請求項２】
上記保持体は、フレームを構成する湾曲した一対の板バネと、これら湾曲板バネの間を連結する連結板バネとで構成された
ことを特徴とする請求項１記載の防水具。
【請求項３】
上記連結板バネの底部には、上記キャリアを構成する金属枠に対して装着自在なフックが設けられた
ことを特徴とする請求項２記載の防水具。
【請求項４】
上記取り付け部は、上記保持体を着脱自在に収納固定できる包袋部として構成された
ことを特徴とする請求項１記載の防水具。
【請求項５】
上記取り付け部は、面ファスナーで構成され、
当該面ファスナーの一方が上記頂幕の内側に貼着され、その他方が上記保持体に取り付けられた
ことを特徴とする請求項１記載の防水具。
【請求項６】
上記面ファスナーの他方は、上記保持体の湾曲板バネに着脱自在に取り付け固定された
ことを特徴とする請求項５記載の防水具。
【請求項７】
上記防水カバーは、上記取り付け部が設けられた矩形状をなすシート状の頂幕より四方に垂下したシート状の垂幕を有する
ことを特徴とする請求項１記載の防水具。
【請求項８】
上記垂幕は、４つの垂幕片で構成された
ことを特徴とする請求項７記載の防水具。
【発明の詳細な説明】
【技術分野】
【０００１】
この発明は貨物運搬用キャリアなどに適用して好適な防水具に関する。
特に、防水カバーとこの防水カバーの頂幕に装着される保持体とで構成すると共に、保持体を湾曲させることによって、キャリア内の貨物を雨水から保護すると共に、頂幕に雨水が溜まらないようにしたものである。
【背景技術】
【０００２】
倉庫内から段ボールなどに収容された貨物（荷物）を搬出して貨物トラックに積載したり、この貨物トラックに積載された貨物を荷下ろしして倉庫内に搬入するようなときには、一般に物流機材として周知の貨物搬送用のキャリア（ロールボックス、コンテナなど）が使用される場合が多い。
【０００３】
このような貨物搬送用に使用されるキャリアの一例を図１６に示す。図１６に示すキャリア１０は折り畳み式のキャリアであって、この例では４つの金属枠１０Ａ〜１０Ｄを有すると共に、台座１２を有し、これら４つの部材を組み立てることによって図１６に示すようなキャリア１０となる。金属枠１０Ａ〜１０Ｄにはそれぞれ補強棒１５が縦横に差し渡されていて、金属枠の補強と共に、貨物が離脱しないような保護柵の役目を担っている。台座１２の下側には複数のキャスタ１４が取り付けられ、キャリア１０の移動を容易にしている。
【０００４】
このキャリア１０には図１７に示すように多種多様な多数の貨物１６が積み込まれる。できるだけ多数の貨物１６を積み込むことができるようにするため、キャリア１０は比較的大きいものが多用される。例えば、高さが１７０〜１８０ｃｍ近い方形状のものが使用される。貨物１６のそれぞれには搬送先を示す仕分け用の伝票１８が、貨物１６の側面や平面に貼着されている。
【発明の開示】
【発明が解決しようとする課題】
【０００５】
ところで、上述したキャリア１０は、一時的に倉庫の入り口近くに留置されることがあるが、倉庫の規模が大きくないようなときには、倉庫には僅かばかりの庇が設けられている場合が多い。そのため、一部のキャリア１０は青天井の下に一時的に保管（放置）されることになる。
【０００６】
このように青天井の下にキャリア１０が保管されているとき、雨模様から突然雨が降り出したようなとき、作業者はいち早くキャリア１０にビニールシートをかけたりして、雨から積載貨物を防ぐようにしている。
【０００７】
しかし、ビニールシートをかけるにしても、キャリア１０が大きいときは、そう簡単にはカバーできないことは、よく経験する。また、単なるビニールシートの場合には、シートであるがために風によってキャリア１０から外れやすく、風雨に対応したカバーとはなっていないのが実情である。
【０００８】
防水具として専用カバーを発案したとしても、専用カバーを作成するには、重さや、使い勝手（装着容易さ）などを考慮する必要がある。さらには、雨が止んで、専用カバーをキャリア１０から外す場合に、専用カバーの頂部に溜まった雨水を全部地面に落としてからでないと、取り外すとき貨物１６に雨水がかかって、貨物１６内に雨水が浸入したり、雨水によって段ボールなどを傷めたりしてしまうことがある。
【０００９】
そこで、この発明はこのような従来の課題を解決したものであって、特に貨物積載用のキャリアなどに適用できる、取り扱いが容易で、雨水などが頂幕に残らないようにした防水具を提案するものである。
【課題を解決するための手段】
【００１０】
上述の課題を解決するため、請求項１に記載したこの発明に係る防水具は、少なくとも荷物運搬用キャリアの上面に装着できる大きさの頂幕と当該頂幕の内側に設けられた取り付け部とを有する防水カバーと、上記取り付け部に対して挿脱できる保持体とで構成され、当該保持体は、湾曲形状をなす梯子体として構成され、上記保持体を上記取り付け部に装着した状態では、上記取り付け部上の上記頂幕が上方に突出するようにしたことを特徴とする。
【００１１】
この発明では、防水カバーと、この防水カバーに取り付けられる保持体とで防水具を構成する。防水カバーはビニールシートなどを加工した防水シートが使用されるものであって、シート状の頂幕とこの頂幕に連なるシート状の垂幕とで構成され、垂幕は使用上を考慮して４片からなる垂幕片として構成することができる。防水カバーをキャリアに取り付けたとき、頂幕はキャリアの平面形状と同じかこれよりも大きな形状となるように構成され、また垂幕片はキャリアの外側の一部を覆うように、キャリアの頂部から垂れ下がるようになるので、雨などから積載貨物を有効に保護できる。
【００１２】
防水カバーに取り付けられる保持体は、湾曲したアーチ状をなす板バネ製であるため、保持体を防水カバーに装着した（取り付け固定した）状態では、頂幕が上方に突出した状態となる。その結果、防水カバーに降り注いだ雨は頂幕にとどまることなく、地面に雨滴となって落下する。つまり、頂幕には殆ど雨が溜まることがない。その結果、雨が上がると同時に防水カバーをキャリアから外しても、頂幕に溜まって雨水で積載貨物が濡れたり、雨水が積載貨物の内側に浸入したりすることはない。
【００１３】
防水カバーに保持体が装着されていると、防水カバーをキャリアに被せるときでも、防水カバーの形がしっかりしているので、簡単に１人でもキャリアにこの防水具を被せることができる。したがってその取り外しも簡単であり、短時間にキャリアへの取り付け、取り外しを行うことができる。
【００１４】
保持体の取り付け部は、包袋部としても、面ファスナー構成でもよい。包袋部としたときは、保持体の着脱が自在になり、着脱の作業も簡単に行うことができる。面ファスナー構成とするときには、面ファスナーの一方を頂幕の内側に取り付ける。例えば縫製によって取り付ける。面ファスナーの他方は、保持体を構成する湾曲板バネに取り付ける。そのため、面ファスナーの他方は包袋状のものが使用される。面ファスナーは湾曲板バネのみならず、保持体を構成する全ての板バネに取り付けることもできる。湾曲板バネに取り付ける場合でも幾つかに分割して取り付けることができる。
【００１５】
防水具は雨よけの他に、直射日光から荷物を護る日光遮蔽具としても使用することができる。
【発明の効果】
【００１６】
この発明では、キャリアの外形に合うように加工された防水カバーに、さらに保持体を装着した構成としたため、キャリアに対する防水具の取り付けおよび取り外しが容易になる。そのため、取り付け時間および取り外し時間が短時間で済む。その結果、突然雨が降り始めたときでも、積載貨物を濡らさずに積載貨物をカバーできる。
【００１７】
保持体によって頂幕はキャリアから突出した状態でこのキャリアに取り付けられるので、降り注いだ雨水は頂幕に溜まることなく流れ落ちるから、防水具を取り外すとき頂幕に溜まった雨水が積載貨物に浸入したり、雨水によって貨物が破けるような事故を未然に防止できる実益を有する。
【００１８】
保持体は着脱自在に防水カバーに取り付けるようにしたので、防水カバーのみを交換するようなときに便利である。
【発明を実施するための最良の形態】
【００１９】
続いて、この発明に係る防水具の好ましい実施例を図面を参照して詳細に説明する。
【００２０】
図１はこの発明に係る防水具２０の一例を示す分解斜視図であって、防水具２０はキャリア１０の上部を覆うためのもので、防水カバー２０Ａと、保持体２０Ｂとで構成される。防水カバー２０Ａは塩化ビニール、ポリエチレンシートなどの軽量で、加工が容易な防水シートが使用される。
【００２１】
図１は使用状態での防水カバー２０Ａを示すもので、その展開図は図２のようになる。図３はその裏面図である。防水カバー２０Ａは図２のようにキャリア１０の平面形状とほぼ同じような形状をなす頂幕２２を有する。したがってキャリア１０が図１のような矩形状（ほぼ正方形状）をなすときは、頂幕２２もほぼ同じ大きさを持つ矩形体である。この例では、幅が１１０ｃｍ、高さが１８０ｃｍの大きさのキャリア１０に適用した場合であるので、頂幕２２の大きさは、この例では１２０ｃｍ平方に選ばれている。
【００２２】
頂幕２２にはこれに連なった垂幕２４が設けられる。この例では、矩形状の頂幕２２に対応してそれぞれの辺から連なる長方形状をなす４つの垂幕片２４Ａ〜２４Ｄで垂幕２４が構成される。垂幕片２４Ａ〜２４Ｄの左右端面（短辺側）は図のように切り落とされると共に、各端面（長辺側および短辺側）は、解れないように補強用の折り返し部２６ａ〜２６ｄとなされている。さらにこれら垂幕片２４Ａ〜２４Ｄの各下端面には図示するような複数の透孔（例えば鳩目孔）２８が形成されて、これら透孔２８を結ぶように紐（図示はしない）を通すことで、垂幕片２４Ａ〜２４Ｄをキャリア１０の側面に確実に固定できる。これによって、風雨に強い防水具２０となる。垂幕片２４Ａ〜２４Ｄの長さは５０ｃｍ程度が適当であるが、その長さは使用するキャリア１０の高さ（１８０ｃｍ）によっても相違するので、キャリア１０に合った寸法となされる。
【００２３】
頂幕２２と垂幕２４との境界部分には、図３のように頂幕２２の裏面側より折り目２３を付けておくこともできる。折り目２３を付けることによって、防水具２０を倉庫などに保管するようなとき、この折り目２３を目安にすれば、簡単に垂幕２４を折り畳むことができる。それによって、持ち運びが容易で、保管するときでもその占有面積を少なくできる。
【００２４】
また、折り畳んだ防水具２０を使用する場合でも、折り目２３から垂幕２４を広げることができるから、頂幕２２の形を崩さずに防水具２０を広げられる。頂幕２２の形を崩さずに広げられると、キャリア１０への取り付けが非常に簡単になり、取り付け作業をスムーズに行うことができる。
【００２５】
上述した例では、４つの垂幕片２４Ａ〜２４Ｄを垂れ下げたときには、互いの左右端面同士は互いに重ならないように垂幕片２４Ａ〜２４Ｄの左右端面は切り落とされているが（図２破線図示）、これとは逆に左右何れかの端面を僅かに長くし、４つの垂幕片２４Ａ〜２４Ｄを垂れ下げたとき一方の端面が隣接する垂幕片の端面に重なるようにし、その重複面の部分に面ファスナーなどを取り付けておけば、この面ファスナーを利用して４つの垂幕片２４Ａ〜２４Ｄ同士を互いに連結することができる。その結果、風などによって垂幕片２４Ａ〜２４Ｄの裾の部分がめくれ上がるようなこともなくなり、風雨による積載貨物に対する保護が完璧となり、風雨対策がより一層確実なものとなる。
【００２６】
上述した頂幕２２の裏面２２ｂにおけるほぼ中央部には、後述する保持体を取り付け固定するための取り付け部３０が設けられる。取り付け部３０としては、これを包袋状に構成することもできれば、面ファスナーなどを使用して取り付け部を構成することもできる。図３以下に説明する実施例は、取り付け部３０を包袋部で構成した場合を示す。
【００２７】
頂幕２２の裏側のほぼ中央部には図３に示すような包袋部３０が設けられている。包袋部３０は図１に示した保持体２０Ｂを着脱自在に収納固定するためのもので、図４にも示すように、頂幕２２に貼着若しくは縫製されたビニール片３２を有する。
【００２８】
ビニール片３２は防水カバーと同一の素材が使用される。そして、頂幕２２の幅ＷＬとほぼ同じ長さと、その１／３程度の幅を有するものが使用され、その長辺側の端面部が頂幕２２の裏面２２ｂ側に貼着される。この例では図３に破線で示すように熱溶着される。ビニール片３２を頂幕２２に熱溶着することによって袋状の包袋部３０が形成される。
【００２９】
ビニール片３２を熱溶着したときでも、ビニール片３２が頂幕２２の裏面２２ｂに密着しないように、つまり例えば図４の如く、包袋用の空間が生まれるように、多少余裕をもつようにビニール片３２が溶着される。余裕度は包袋部３０に装着固定される保持体２０Ｂの形状や大きさによって異なるが、この例では長さが１２０ｃｍで、幅が４２ｃｍのビニール片３２を使用した場合である。
【００３０】
包袋部３０はビニール片３２の短辺側がそれぞれ開放された状態にあるので、この例ではその左右に図３および図４に示すような面ファスナー３４，３６がそれぞれ設けられて閉塞可能な包袋部３０となされる。面ファスナー３４，３６は周知のファスナー（マジックテープ（登録商標）など）を使用することができ、それぞれ適当な長さと幅を有するように切断されたものが使用される。図４にその取り付け例を示す。図４では短辺の面ファスナー３４ａ、３４ｂがそれぞれ対向するように頂幕２２とビニール片３２の対応する個所に縫製されて取り付け固定される。熱溶着してビニール片３２を頂幕２２に固定してもよい。
【００３１】
面ファスナー３４，３６は、ビニール片３２の短辺の長さに近い長さにすることも考えられるが、こうすると保持体２０Ｂを包袋部３０の内部に収納する途中で、対向するファスナー３４ａ、３４ｂ同士がくっつきやすくなるので、却って保持体２０Ｂの収納作業を阻害することにもなりかねない。そこで、図示するように面ファスナー３４，３６は敢えて短めにしてある。もちろん、開口部に１個所だけ設けるのではなく、数カ所に分散させて面ファスナーを取り付けることも可能である。
【００３２】
ビニール片３２にはさらにその左右両端部近傍にそれぞれスリット状の透孔３８，３８が設けられている。これらの透孔３８，３８は後述する保持体２０Ｂに取り付けられた一対のフック４４を貫通させて、包袋部３０から露出させるためのものである。
【００３３】
図５は上述した保持体２０Ｂの一例を示す平面図である。保持体２０Ｂはその全体がアーチ状をなす躯体である。この例では、保持体２０Ｂは所定の厚みと幅を有する板バネで構成される。保持体２０Ｂは図５に示すように梯子状をなす躯体（梯子体）として構成され、躯体は図６および図７に示すように湾曲している。躯体はその長さが上述したようにほぼ１２０ｃｍであり、その幅は約４２ｃｍとなされている。
【００３４】
そのため、保持体２０Ｂは図５に示すように、平行に配置された一対の湾曲板バネ４０（４０Ａ、４０Ｂ）と、これら湾曲板バネ４０Ａ、４０Ｂの間を連結するために設けられた複数、この例では平板状をなす３枚の連結板バネ４２（４２Ａ，４２Ｂ，４２Ｃ）とで構成される。３枚の連結板バネ４２は非湾曲板バネであって、この例では等間隔に配置されると共に、図５に示すようにそれぞれの連結部が溶接（点溶接など）されることで、一体化される。図５に示す例では、２枚の連結板バネ４２Ａ、４２Ｃの各端面は湾曲板バネ４０Ａ，４０Ｂの各端面にそれぞれ溶接される。
【００３５】
湾曲板バネ４０は図６に示すように、その高低差が約５０ｍｍ程度となるように、所定角度αが付くように湾曲加工されている。この湾曲板バネ４０は図６の下向き矢印方向に力が加わると直線状になるが、その力を取り去ると、再び図６のような湾曲形状に復帰（復元）する。
【００３６】
湾曲板バネ４０および連結板バネ４２は何れもＳＵＳ３０４Ｈの鋼材を使用することができる。また、これら湾曲板バネ４０および連結板バネ４２は何れも厚みが１．５ｍｍで、その幅が２０ｍｍの板バネを使用した場合である。この程度の厚みと幅を持つ板バネは加工が容易で、防水カバー２０Ａの重みにも耐え得る弾力性を有し、しかも素材自体軽いから必要な弾力性を持ちつつ、保持体２０Ｂ全体の重量を軽くすることができる。
【００３７】
連結板バネ４２のうち左右両端部の連結板バネ４２Ａ，４２Ｃの下面であって、そのほぼ中央部付近には、図６に示すようなフック４４（４４Ａ，４４Ｂ）が取り付け固定されている。フック４４は図１に示したキャリア１０の金属枠１０Ａおよび１０Ｃの頂部に引っ掛けて、保持体２０Ｂをキャリア１０に固定するためのものである。
【００３８】
この例では、図６に示すように断面ほぼ釣り針状（ほぼ斜め柄杓状をなす形状）をなす板バネ材が使用され、互いに外側を向くように連結板バネ４２Ａ，４２Ｃの中央下面部に溶接されている。フック４４の湾曲部はキャリア１０の金属枠１０Ａ，１０Ｃの太さに対応した内径となされて、引っ掛けたときフック４４がガタつかないようになっている。
【００３９】
さて、このように構成された保持体２０Ｂを上述した包袋部３０に収納し、包袋部３０の面ファスナー３４，３６を閉じた状態で使用すると、防水具２０自体の縦断面形状は図８のようになり、その横断面形状は図９のようになる。保持体２０Ｂは包袋部３０の内容積とほぼ同じになるので、保持体２０Ｂを包袋部３０内に収納すると、上に凸となるように頂幕２２のうち包袋部３０の部分が湾曲する。包袋部３０の湾曲に伴って、頂幕２２全体も同じように湾曲し、頂幕２２全体が図９のように、あたかもアンパンのように膨らんだ形状となる。
【００４０】
防水具２０はこの保持体２０Ｂを包袋部３０に収納した状態で使用される。図１０にその使用状態の一例を示す。
【００４１】
防水具２０の使用例を次に説明すると、折り畳まれた防水具２０からまず垂幕片２４Ａ〜２４Ｄを広げ、次いで包袋部３０が内側となるように、頂幕２２をキャリア１０の上面側より被せる。そのとき、フック４４をキャリア１０の金属枠１０Ａまたは１０Ｃに嵌合させる。例えば一方のフック４４Ａを金属枠１０Ｃに嵌め込む。その後、他方のフック４４Ｂを他方の金属枠１０Ａに嵌め込む。
【００４２】
この作業によって、防水具２０はキャリア１０に固定されたことになる。この取り付け作業を行っているときは、垂幕片２４Ａ〜２４Ｄを頂幕２２側にめくり挙げて置く。その後、垂幕片２４Ａから垂幕片２４Ｄまでを順次キャリア１０の外側に垂れ下げる。図１０はこの作業時の状態を示す。
【００４３】
垂幕片２４Ａ〜２４Ｄをキャリア１０の外側に垂れ下げてからは、必要に応じて紐を利用して垂幕片２４Ａ〜２４Ｄの端面同士を結ぶ。この一連の作業によって、キャリア１０に防水具２０を取り付けることができる。
【００４４】
防水具２０の構成部品点数は少なく、防水カバー２０Ａと保持体２０Ｂの２点であるので、防水具全体を非常に軽量に構成できる。上述した寸法の場合には、約１．５ｋｇである。そのため、キャリア１０への防水具２０の取り付け、取り外しを簡単に行うことができる。実験したところによると、取り付けに要する時間および取り外しに要する時間は、不慣れな人でもおよそ１分ぐらいである。つまり、非常に素早く取り付けおよび取り外し作業を遂行できるから、急な降雨にも速やかに対応でき、積載貨物を雨水からほぼ確実に護ることができる。
【００４５】
また、キャリア１０に防水具２０を被せた状態では、図１１および図１２に示すように、保持体２０Ｂの作用でその頂幕２２はその全体が上に凸となるように膨らんだ状態でキャリア１０に取り付けされることになる。その結果、雨水（雨滴）は頂幕２２の面上にとどまることなく、即座に垂幕片２４Ａ〜２４Ｄを通して垂れ落ちる。雨が止んで、防水具２０をキャリア１０から取り外すとき、頂幕２２に残留した雨水によって作業者が濡れたり、あるいはこの雨水が積載貨物１６に浸入したり、雨水が被って伝票１８を汚損したりする問題を一掃できる。
【００４６】
上述した防水具２０はキャリア１０の大きさに応じて、大きさの異なる数種類の防水具を用意しておくこともできれば、単一の防水具２０で倉庫に常備された大きさの異なる全てのキャリアをまかなうこともできる。
【００４７】
防水カバー２０Ａとして使用されるシートとしては、実施例の他にポリエチレンシートなどを使用することもでき、ポリエチレンシートを使用する場合でも、網目状に補強用糸が介挿されたものを使用することができる。破損しにくくなるからである。
【００４８】
防水具２０の度重なる使用、保管を繰り返すことによって、特に防水カバー２０Ａが破損するケースが増えると予想される。これに対して保持体２０Ｂが破損するケースは希である。保持体２０Ｂは防水カバー２０Ａから分離できる構成となっているので、その場合には破損した防水カバー２０Ａのみを交換すれば足りるので、メンテナンスフィーが安くなる。
【００４９】
防水具２０の主たる用途は、雨よけであるが、この他に太陽光から積載貨物１６を保護したり、雨露や結露から積載貨物１６を保護するために、この防水具２０を積極的に利用することもできる。また、その用途を生かすためにシート素材を変えた防水カバー２０Ａを用意しておくこともできる。
【００５０】
上述した実施例では、風雨対策として４つの垂幕片２４Ａ〜２４Ｄに設けられた透孔２８に紐を通したり、あるいは面ファスナーを利用したりすることを例示したが、さらに各垂幕片２４Ａ〜２４Ｄに設けられた透孔２８を利用する案として図１３に示すような実施例が考えられる。
【００５１】
図１３では、例えば四隅に設けられた透孔２８とキャスタ１４との間をゴムひもなどの連結部材６０で結ぶことでも風雨対策となる。１つの垂幕片に対して１〜数本の連結部材６０を取り付けることで、風雨によって垂幕片２４Ａ〜２４Ｄがめくれ上がるのを防止できるからである。
【００５２】
連結部材６０としてのゴムひも６１としては、弦巻状のゴムひもや、ゴムひもを束ねたものなどを使用することができ、それぞれの先端部には金属フック６２，６３を取り付けておく。一方の金属フック６２を透孔２８にかけ、また他方の金属フック６３をキャスタ１４の脚部などに引っ掛けることで、垂幕片２４Ａ〜２４Ｄのばたつきを回避できる。
【００５３】
台座１２の側端部やその底部に、図１３に示すような金属フック６３を引っ掛けるための、例えばＬ字状をなす補助部材６５を複数（例えば３個）取り付けておけば、連結部材６０の取り付け作業が簡単になり、しかも垂幕片２４Ａ〜２４Ｄ全体を安定して垂れ下げることができるので、風雨対策としてはより完全なものとなる。ゴムひも６１の代わりに、弦巻バネや、単なる紐などを使用することもできる。
【００５４】
図３以下の実施例は、保持体２０Ｂを防水カバー２０Ａに着脱自在に取り付け固定する例として包袋部を例示した。取り付け部３０としては包袋部の代わりに面ファスナーで構成することもできる。
【００５５】
この場合には、頂幕２２の裏側２２ｂの所定個所に複数個の面ファスナー（例えばマジックテープ（登録商標））を取り付け、この面ファスナーで板バネの板面を囲むことで、板バネしたがって保持体２０Ｂを頂幕２２の裏面２２ｂに取り付け固定する。図１４に面ファスナー５０の具体的な取り付け例を示す。
【００５６】
この例では、裏面２２ｂに保持体２０Ｂを取り付けるべき位置であって、湾曲板バネ４０Ａ，４０Ｂの両端部近傍を頂幕２２に固定するためこの例では４個の面ファスナー５０Ａ〜５０Ｄが使用されると共に、連結板バネ４２のうち、中央の連結板バネ４２Ｂを頂幕２２に固定するための面ファスナー５０Ｅが使用される。
【００５７】
これら面ファスナー５０Ａ〜５０Ｅはそれぞれ短冊状をなす面ファスナーであって、湾曲板バネ４０Ａ，４０Ｂの両端部近傍（４個所）に面ファスナー５０Ａ〜５０Ｄが取り付けられる。面ファスナー５０Ａ〜５０Ｅはそれぞれ同一構成であるので、面ファスナー５０Ｂを用いてその構成を説明する。
【００５８】
図１５にも示すように、この面ファスナー５０Ｂはメス型（若しくはオス型）の面ファスナー５２ａと、オス型（若しくはメス型）の面ファスナー５２ｂとで構成され、矩形状をなすメス型面ファスナー５２ａが例えば頂幕２２に縫合されることによって、このメス型面ファスナー５２ａが頂幕２２の裏面２２ｂに取り付けられる。
【００５９】
これに対して、オス型面ファスナー５２ｂは、所定の長さを有する短冊状の帯体５４の一端部に取り付けられており、帯体５４の他端部は図示するように頂幕２２の裏面２２ｂであって、メス型面ファスナー５２ａと平行するように、僅かな間隔ｗを空けて例えば縫合などの手段によってこの頂幕２２に取り付け固定される。
【００６０】
オス型面ファスナー５２ｂも、メス型面ファスナー５２ａと同じかそれよりも若干大き目の形状のものが使用される。図１５では僅かに大きいオス型面ファスナー５２ｂが使用されている。帯体５４の長さは、帯体５４の縫合位置を考慮すると共に、板バネを囲繞したとき、弛みなくこの板バネを囲繞して固定できるような長さに選定される。
【００６１】
他の面ファスナー５０Ａ，５０Ｃ〜５０Ｅも同じように構成される。連結板バネ４２Ｂに対する面ファスナー５０Ｅは連結板バネ４２Ｂのほぼ中間部を保持できる位置に取り付け固定される。
【００６２】
保持体２０Ｂを頂幕２２に取り付ける場合には、図１４に示すように帯体５４の他端面側に重なるように湾曲板バネ４０Ａ，４０Ｂおよび連結板バネ４２Ｂの載置位置を位置決めする。その状態で帯体５４を矢印ａ方向に回してメス側面ファスナー５２ａにオス型面ファスナー５２ｂを合体させる。このとき、できるだけ帯体５４が板バネに密着した状態で囲繞するように、きつく締め付けて合体させる。そうすることによって、保持体２０Ｂは頂幕２２の裏面２２ｂに完全に密着した状態でこの値面２２ｂに取り付け固定されるので、防水カバー２０Ａの使用状態では、湾曲板バネ４０Ａ，４０Ｂの作用で、その頂幕２２が湾曲した状態でキャリア１０に装着されることになる。
【００６３】
なお、メス型面ファスナー５２ａと、オス型面ファスナー５２ｂを取り付けている帯体５４との取り付け間隔ｗはできるだけ狭い方が好ましい。これは間隔ｗが狭い方が、オス側面ファスナー５２ｂによって、板バネ４０，４２をきつく締め付けることができるからである。
【００６４】
使用する面ファスナー５０の個数や、その配置位置などは任意に設定できる。例えば連結板バネ４２Ｂに近い、湾曲板バネ４０Ａ，４０Ｂの双方にさらに一対、面ファスナーを取り付けることもできる。面ファスナー５０の大きさも任意であり、図示するような短冊状の形状に限るものではない。
【００６５】
防水具２０は防水カバーの他に、キャリア１０に積載された荷物を直射日光から護るための日光遮蔽具としても利用することができる。
【産業上の利用可能性】
【００６６】
この発明は、屋外で使用されることの多い貨物積載用のキャリアやコンテナなどの雨水対策用防水シートとして適用できる。
【図面の簡単な説明】
【００６７】
【図１】この発明に係る防水具の実施例を示す分解斜視図である。
【図２】防水カバーの実施例を示す平面図である。
【図３】その裏面図である。
【図４】図２の中央縦断面図である。
【図５】保持体の実施例を示す構成図である。
【図６】その横断面図である。
【図７】図５の右側面図である。
【図８】保持体を装着した状態での図４の横断面図である。
【図９】保持体を装着した状態での図４の縦断面図である。
【図１０】防水具をキャリアに取り付けたときの使用状態の斜視図である。
【図１１】その縦断面図である。
【図１２】図１０の横断面図である。
【図１３】防水具とキャリアとの関係を示す斜視図である。
【図１４】取り付け部を面ファスナーで構成したときの取り付け部と面ファスナーとの関係を示す斜視図である。
【図１５】面ファスナーによって保持体を取り付けたときに一部断面図である。
【図１６】キャリアの構成図である。
【図１７】キャリアと積載貨物の関係を示す図である。
【符号の説明】
【００６８】
１０  キャリア
１６  貨物
２０  防水具
２０Ａ  防水カバー
２０Ｂ  保持体
２２  頂幕
２４  垂幕
２４Ａ〜２４Ｄ  垂幕片
３０  包袋部
３２  包袋用シート
３４，３６  面ファスナー
４０  湾曲板バネ
４２  連結板バネ
【図１】
2005082207.tif 000003
【図２】
2005082207.tif 000004
【図３】
2005082207.tif 000005
【図４】
2005082207.tif 000006
【図５】
2005082207.tif 000007
【図６】
2005082207.tif 000008
【図７】
2005082207.tif 000009
【図８】
2005082207.tif 000010
【図９】
2005082207.tif 000011
【図１０】
2005082207.tif 000012
【図１１】
2005082207.tif 000013
【図１２】
2005082207.tif 000014
【図１３】
2005082207.tif 000015
【図１４】
2005082207.tif 000016
【図１５】
2005082207.tif 000017
【図１６】
2005082207.tif 000018
【図１７】
2005082207.tif 000019